(57)【要約】【課題】ディスプレイの壁面に対する位置と向きを容易に調節可能であるディスプレイ取り付け具の提供を課題とする。【解決手段】液晶テレビ等のディスプレイを壁面に取り付けるディスプレイ取り付け具１であって、壁面に固定するための壁面固定部１０と、ディスプレイを固定するためのディスプレイ固定部２０と、前記壁面固定部１０とディスプレイ固定部２０とを相互に連結する連結機構部３０とから構成され、連結機構部３０にギア丁番３１を備えることでディスプレイ固定部２０の壁面に対する位置と向きを調節可能とする。【選択図】      図１
0003138380.tif 000002
【実用新案登録請求の範囲】
【請求項１】
液晶テレビ等のディスプレイを壁面に取り付けるディスプレイ取り付け具であって、壁面に固定するための壁面固定部と、ディスプレイを固定するためのディスプレイ固定部と、前記壁面固定部とディスプレイ固定部とを相互に連結する連結機構部とから構成され、連結機構部にギア丁番を備えることでディスプレイ固定部の壁面に対する位置と向きを調節可能とすることを特徴とするディスプレイ取り付け具。
【請求項２】
連結機構部は、壁面固定部とディスプレイ固定部との間に介在して変位自在な可動部を備え、該可動部と壁面固定部との接合及び可動部とディスプレイ固定部との接合をそれぞれギア丁番で行っていることを特徴とする請求項１に記載のディスプレイ取り付け具。
【請求項３】
連結機構部の可動部は、壁面固定部とディスプレイ固定部との間に１対で設けられていることを特徴とする請求項２に記載のディスプレイ取り付け具。
【請求項４】
連結機構部の可動部は、複数枚の平板部材を折り戸状に相互にギア丁番で接合して構成してあることを特徴とする請求項２又は３に記載のディスプレイ取り付け具。
【請求項５】
ギア丁番は、それによって接合される被接合部材の接合部の全長に亘って取り付けてあることを特徴とする請求項１〜４の何れかに記載のディスプレイ取り付け具。
【請求項６】
連結機構部に、ディスプレイの角度を固定するための角度固定具を設けたことを特徴とする請求項１〜５の何れかに記載のディスプレイ取り付け具。
【請求項７】
角度固定具は、弾性部材からなり、可動部の上部に配置され、該角度固定具を可動部の上部に圧接させることで隣接する平板部材の開閉角度を固定することを特徴とする請求項６に記載のディスプレイ取り付け具。
【考案の詳細な説明】
【技術分野】
【０００１】
本考案は液晶テレビ等のディスプレイを壁面に固定するディスプレイ取り付け具に関する。
【背景技術】
【０００２】
従来、液晶テレビ等のディスプレイを壁面に固定する固定具としては、下記特許文献１に示す薄型テレビ取付具があった。
【特許文献１】特開２００７−９６３６７号公報
【考案の開示】
【考案が解決しようとする課題】
【０００３】
上記特許文献１に示す薄型テレビ取付具は、薄型テレビを壁面に平行に設置させることができる点において利点となるものである。
しかし、薄型テレビを壁面に対して前後に移動させることができないという問題があった。また薄型テレビの壁面に対する左右の角度を任意に調節することができないという問題があった。
【０００４】
そこで本考案は上記従来技術の問題を解消し、ディスプレイの壁面に対する位置と向きを容易に調節可能であるディスプレイ取り付け具の提供を課題とする。
【課題を解決するための手段】
【０００５】
上記課題を達成するための本考案のディスプレイ取り付け具は、液晶テレビ等のディスプレイを壁面に取り付けるディスプレイ取り付け具であって、壁面に固定するための壁面固定部と、ディスプレイを固定するためのディスプレイ固定部と、前記壁面固定部とディスプレイ固定部とを相互に連結する連結機構部とから構成され、連結機構部にギア丁番を備えることでディスプレイ固定部の壁面に対する位置と向きを調節可能とすることを第１の特徴としている。
また本考案のディスプレイ取り付け具は、上記第１の特徴に加えて、連結機構部は、壁面固定部とディスプレイ固定部との間に介在して変位自在な可動部を備え、該可動部と壁面固定部との接合及び可動部とディスプレイ固定部との接合をそれぞれギア丁番で行っていることを第２の特徴としている。
また本考案のディスプレイ取り付け具は、上記第２の特徴に加えて、連結機構部の可動部は、壁面固定部とディスプレイ固定部との間に１対で設けられていることを第３の特徴としている。
また本考案のディスプレイ取り付け具は、上記第２又は第３の特徴に加えて、連結機構部の可動部は、複数枚の平板部材を折り戸状に相互にギア丁番で接合して構成してあることを第４の特徴としている。
また本考案のディスプレイ取り付け具は、上記第１〜第４の何れかの特徴に加えて、ギア丁番は、それによって接合される被接合部材の接合部の全長に亘って取り付けてあることを第５の特徴としている。
また本考案のディスプレイ取り付け具は、上記第１〜第５の何れかの特徴に加えて、連結機構部に、ディスプレイの角度を固定するための角度固定具を設けたことを第６の特徴としている。
また本考案のディスプレイ取り付け具は、上記第６の特徴に加えて、角度固定具は、弾性部材からなり、可動部の上部に配置され、該角度固定具を可動部の上部に圧接させることで隣接する平板部材の開閉角度を固定することを第７の特徴としている。
【考案の効果】
【０００６】
請求項１に記載のディスプレイ取り付け具によれば、壁面固定部を有する構成としてあることから、壁面固定部によりディスプレイ取り付け具を壁面に強固に固定させることができる。またディスプレイ固定部を有する構成としてあることから、ディスプレイ固定部によりディスプレイを強固に固定させることができる。
また壁面固定部とディスプレイ固定部とを連結機構部で相互に連結する構成としてあることから、ディスプレイ固定部を連結機構部に取り付けることでディスプレイ固定部を壁面固定部に連結させることができる。
特に連結機構部にギア丁番を備えることでディスプレイ固定部の壁面に対する位置と向きを調節可能とするようにしてあることから、ディスプレイ固定部の位置と向きを任意の位置と向きに容易且つ迅速に調節することができると共に、ディスプレイ固定部の位置と向きをギア丁番によって正確に、また位置ズレを起こすことなく、確実に且つ安定して変位、位置決めさせることができる。
【０００７】
請求項２に記載のディスプレイ取り付け具によれば、上記請求項１に記載の構成による効果に加えて、連結機構部は、壁面固定部とディスプレイ固定部との間に介在して変位自在な可動部を備えてあることから、該可動部を変位自在に動かすことで、壁面固定部に対してディスプレイ固定部を自在に変位させることができる。
また可動部と壁面固定部との接合及び可動部とディスプレイ固定部との接合をそれぞれギア丁番で行っているので、それらの間の各接合を精密且つ強固に行うことができる。
【０００８】
請求項３に記載のディスプレイ取り付け具によれば、上記請求項２に記載の構成による効果に加えて、連結機構部の可動部は、壁面固定部とディスプレイ固定部との間に１対で設けられているので、これら１対の可動部によって、壁面固定部に対してディスプレイ固定部を十分に安定した状態に保持させることができる。また１対の可動部を同調させて変位させることができることに加えて、それぞれを個別に変位させることもできる。よって連結機構部に連結されるディスプレイ固定部の壁面に対する位置と向きを任意の位置と向きに容易且つ確実に変位させることができる。
【０００９】
請求項４に記載のディスプレイ取り付け具によれば、上記請求項２又は３に記載の構成による効果に加えて、連結機構部の可動部は、複数枚の平板部材を折り戸状に相互にギア丁番で接合して構成してあることから、平板部材同士を相互に精密且つ正確に、またブレなく相対変位させることができる。よって連結機構部の可動部の位置や向きを、大きな自由度をもって精密、正確に制御することができる。接板角丁番や儀星丁番を用いて接合する場合には隣接する平板部材間に隙間が生じるところ、このような隙間が生じることがない。従って隣接する平板部材を一段と強固且つ確実に接合させることができる。
【００１０】
請求項５に記載のディスプレイ取り付け具によれば、上記請求項１〜４の何れかに記載の構成による効果に加えて、ギア丁番は、それによって接合される被接合部材の接合部の全長に亘って取り付けてあるので、壁面固定部と連結機構部との接合、連結機構部とディスプレイ固定部との接合、連結機構部の各平板部材間の接合において、それら接合される壁面固定部、平板部材、ディスプレイ固定部の被接合部の全長に亘ってギア丁番が取り付けられることから、接合を十分に堅固に、ぐらついたりブレたり、位置ズレしたりすることなく行うことができる。加えて全長に亘ってギア丁番で接合しているので、接合される両者の相対的変位、角度を正確に且つ安定して、保持させることができる。
板角丁番や儀星丁番を用いて接合する場合には、固定部、連結機構部の可動部間の接合部分が数箇所に限られることになる。よってディスプレイの装着時及び可動部の変位時において、固定部や可動部間にかかる荷重は、当然、接合箇所に集中することになる。よって固定部、可動部間に段差やねじれ、ズレが生じ易い。
これに対して請求項５の考案では、ギア丁番は、それによって接合される被接合部の全長に亘って取り付けられるので、ディスプレイの装着時及び可動部の変位時において、固定部、可動部間にかかる荷重を効果的に分散させることができる。よって固定部、可動部間に段差やねじれ、ズレが生じることを確実に防止することができる。
【００１１】
請求項６に記載のディスプレイ取り付け具によれば、上記請求項１〜５の何れかに記載の構成による効果に加えて、連結機構部に、ディスプレイの角度を固定するための角度固定具を設けたので、角度固定具により連結機構部の角度を任意の角度に固定させることができる。よって連結機構部に連結されるディスプレイ固定部の角度を任意の角度に固定させることができる。
【００１２】
請求項７に記載のディスプレイ取り付け具によれば、上記請求項１〜６の何れかに記載の構成による効果に加えて、角度固定具は、弾性部材からなり、可動部の上部に配置され、該角度固定具を可動部の上部に圧接させることで可動部の開閉角度を固定する構成としてあることから、弾性部材からなる角度固定具を可動部の上部に圧接させることで、弾性部材が持つ柔軟性により、角度固定具を可動部の上部に押し付けて密接させることができる。よって可動部の開閉角度を強固に固定させることができる。
【考案を実施するための最良の形態】
【００１３】
以下の図面を参照して、本考案の実施形態に係るディスプレイ取り付け具について説明する。
図１は本考案の実施形態に係るディスプレイ取り付け具の斜視図、図２は本考案の実施形態に係るディスプレイ取り付け具の平面図、図３は本考案の実施形態に係るディスプレイ取り付け具における壁面固定部及びディスプレイ固定部の正面図である。図４は連結機構部の可動部の部分拡大図で、（ａ）は接合状態を示し、（ｂ）は変位状態を示す。図５は本考案の実施形態に係るディスプレイ取り付け具における角度固定具の分解側面図である。図６は本考案の実施形態に係るディスプレイ取り付け具における角度固定具の使用状態を示す平面図である。
【００１４】
図１に示すように、ディスプレイ取り付け具１は液晶テレビ等のディスプレイを壁面に固定するためのものであり、壁面固定部１０と、ディスプレイ固定部２０と、連結機構部３０と、角度固定具４０とから構成される。
【００１５】
図２と図３も参照して、前記壁面固定部１０は、ディスプレイ取り付け具１を室内の壁、その他の固定物の壁面に固定するためのものである。この壁面固定部１０は、幅広な平板部材で構成され、壁面取り付け用貫通穴１１と連結機構部取り付け用貫通穴１２とが設けられている。壁面固定部１０の壁面取り付け用貫通穴１１による壁面への取り付け、及び連結機構部取り付け用貫通穴１２による連結機構部３０のギア丁番３１の取り付けは、壁面取り付け用貫通穴１１と連結機構部取り付け用貫通穴１２に、それぞれボルトを通すことで行う。ここで壁面取り付け用貫通穴１１は、図３に示すように、連結機構部取り付け用貫通穴１２を挟むように左右に配置されている。このような構成とすることで、ディスプレイ装着時及び後述する連結機構部３０の可動部３２の変位時に、ギア丁番３１を通して壁面固定部１０にかかる荷重をギア丁番３１の左右へと分散させることができる。よってディスプレイ装着時及び可動部３２の変位時における壁面固定部１０のぐらつきやズレ、ねじれを効果的に防止することができる。
勿論、このような構成に限らず、壁面固定部１０を壁面に一定の強度で取り付けることができるものであれば如何なるものであってもよい。
【００１６】
前記ディスプレイ固定部２０は、液晶テレビ等のディスプレイを固定するためのものである。このディスプレイ固定部２０は、壁面固定部１０と同一形状の幅広な平板部材で構成され、ディスプレイ取り付け用貫通穴２１と連結機構部取り付け用貫通穴２２とが設けられている。ディスプレイ固定部２０とディスプレイ及び連結機構部３０との取り付けは、ディスプレイ取り付け用貫通穴２１と連結機構部取り付け用貫通穴２２に、それぞれボルトを通すことで行う。ここでディスプレイ取り付け用貫通穴２１は、図３に示すように、連結機構部取り付け用貫通穴２２を挟むように左右に配置されている。このような構成とすることで、ディスプレイ装着時及び可動部３２の変位時に、ギア丁番３１を通してディスプレイ固定部２０にかかる荷重をギア丁番３１の左右へと分散させることができる。よってディスプレイ装着時及び可動部３２の変位時におけるディスプレイ固定部２０のぐらつきやズレ、ねじれを効果的に防止することができる。
勿論、ディスプレイ固定部２０は、このような構成に限らず、ディスプレイをディスプレイ固定部２０に一定の強度で取り付けることができるものであればよい。
【００１７】
前記連結機構部３０は、壁面固定部１０とディスプレイ固定部２０との間にあって、それらを相互に連結させるためのものである。この連結機構部３０は、ギア丁番３１と、可動部３２とから構成される。
【００１８】
前記ギア丁番３１は、壁面固定部１０と可動部３２との間を接合し、またディスプレイ固定部２０と可動部３２との間を接合し、また後述する可動部３２の平板部材３２ａ間を接合するのに用いられている。
ギア丁番３１は、その全長が壁面固定部１０及びディスプレイ固定部２０の縦方向寸法長さ（図１に示す縦方向寸法さ）の全長に亘って取り付けられている。このような構成とすることで、ディスプレイ装着時及び可動部３２の変位時における壁面固定部１０及びディスプレイ固定部２０にかかる荷重を分散させることができる。またギア丁番３１も、その全長で荷重を受けることになるので、ギア丁番３１に加わる荷重を分散して受けることができる。よって壁面固定部１０やディスプレイ固定部２０に歪みやねじれが生じることを防止することができる。またギア丁番３１やそれから荷重を受ける可動部３２の破損や歪み、ねじれを防止することができる。
また壁面固定部１０及びディスプレイ固定部２０とギア丁番３１との取り付けは、壁面固定部１０及びディスプレイ固定部２０にそれぞれ設けられた連結機構部取り付け用貫通穴１２、２２にボルトを通して行うことができる。
【００１９】
前記可動部３２は、連結機構部３０を現に可動ならしめるものである。可動部材３２は連結機構部３０の主たる部材として、壁面固定部１０とディスプレイ固定部２０との間において相互に離間した状態で左右に１対設けられている。１対を相互に離間して設けることにより、壁面固定部１０に対してディスプレイ固定部２０を十分に安定した状態に保持させることができる。また１対の可動部３２を同調させて変位させることができることに加えて、それぞれを個別に変位させることもできる。よって連結機構部３０に連結されるディスプレイ固定部２０の壁面に対する位置と向きを任意の位置と向きに容易且つ確実に変位させることができる。
１対の可動部３２は、そのそれぞれの可動部３２、３２において、２枚の平板部材３２ａを有し、この２枚の平板部材３２ａ、３２ａをギア丁番３１に接合して折り戸状に構成している。
【００２０】
本実施形態では、前記平板部材３２ａは一定の幅を有する同形状の平板部材２枚を１組として、ギア丁番３１で接合して可動部３２としている。各平板部材３２ａの縦方向寸法（図１に示す縦方向寸法）は、壁面固定部１０やディスプレイ固定部２０の縦方向寸法と同長である。このような構成とすることで、ディスプレイ取り付け具１を構成する全ての部材の上下端を面一とすることができる。よってディスプレイ取り付け具１の上下に出っ張りが生じることがない。特に部屋の天井部や床部に近い位置にディスプレイ取り付け具１を取り付ける場合でも、設置場所が限定されることを防止することができる。またディスプレイ取り付け具１をまとまりのあるものとすることができ、運搬、設置時における負担を軽減することができる。
【００２１】
図４も参照して、前記ギア丁番３１は、平板部材３２ａの縦方向寸法の全長に亘って同寸法で取り付けられている。これにより平板部材３２ａの縦方向の全てがギア丁番３１で接合して連結されることになる。よってギア丁番を用いずに、板角丁番や儀星丁番を用いて隣接する平板部材３２ａを縦方向の数箇所で接合して連結する場合に比べて、隣接する平板部材３２ａ相互を一段と強固に連結することができる。また板角丁番や儀星丁番を用いて平板部材３２ａを縦方向の数箇所で接合する場合には、ディスプレイ装着時に隣接する平板部材３２ａの接合部分にかかる荷重は、当然、接合部分に集中することになる。よって隣接する平板部材３２ａ間に段差やねじれ、ズレが生じ易い。
これに対して本実施形態においては、平板部材３２ａの縦方向の上下に亘ってギア丁番３１が取り付けられている。このためディスプレイ装着時に隣接する平板部材３２ａの接合部分にかかる荷重を、効果的に分散させることができる。よって隣接する平板部材３２ａ間に段差やねじれ、ズレが生じることを確実に防止することができる。
【００２２】
また図４の（ｂ）に示すように、平板部材３２ａの変位時おいても、平板部材３２ａ相互間において強固な連結状態をギア丁番３１によって保持させることができる。よって平板部材３２ａ相互間に生じるねじれ方向の荷重にも十分に対応することができ、平板部材３２ａにねじれや歪み、段差、ズレが生じることを確実に防止することができる。
またギア丁番３１を用いることで、隣接する平板部材３２ａを同調させ或いは個別に、滑らかに変位させることができる。
【００２３】
既述したように、ギア丁番３１の縦方向寸法の長さは、壁面固定部１０、ディスプレイ固定部２０、連結機構部３０の平板部材３２ａの各縦方向寸法と同長である。よって壁面固定部１０、ディスプレイ固定部２０、連結機構部３０における全ての連結部分が、その縦方向に亘ってギア丁番３１で接合して連結されることになる。これにより壁面固定部１０、ディスプレイ固定部２０、連結機構部３０を一段と強固に連結させることができる。更にディスプレイ装着時及び可動部３２の変位時において、壁面固定部１０、ディスプレイ固定部２０、連結機構部３０に生じるねじれ方向の荷重にも十分に対応することができる。よって壁面固定部１０、ディスプレイ固定部２０、連結固定部３０にねじれや歪み、段差、ズレが生じることを確実に防止することができる。
なおギア丁番３１としては、アルミ製、ステンレス製等、如何なるギア丁番であってもよい。
【００２４】
図５、図６を参照して、前記角度固定具４０は、連結機構部３０における隣接する平板部材３２ａ同士がなす角度を固定するためのものである。この角度固定具４０は、ハンドル４１と円形板４２とから構成される。
【００２５】
前記ハンドル４１は、円形板４２を押圧するためのものである。このハンドル４１は、図１、図５、図６に示すように、上部を円形のハンドル部４１ａとし、中部をハンドル部４１ａよりも小さな圧縮部４１ｂとし、下部をネジ切り部４１ｃとする。また、このハンドル４１は円形板４２の上部に配置される。このような状態で、２枚の平板部材３２ａがギア丁番３１で連結される連結部付近の一方の平板部材３２ａの上端のネジ穴に対して、円形板４２を挟んでハンドル４１のネジ切り部４１ｃをねじ込むことで、圧縮部４１ｂが円形板４２を押圧し、円形板４２を構成する弾性材を隣接する平板部材３２ａやギア丁番３１に密接させることができる。ここで、ハンドル部４１ａ、圧縮部４１ｂの形状、大きさは本実施例のものに限られる必要はなく、適宜変更可能である。
【００２６】
前記円形板４２はハンドル４１と平板部材３２ａとの間に配置され、ハンドル４１によって平板部材３２ａやその連結部分の上部に圧接されるものである。本実施例においては、この円形板４２は、円形の圧縮円形板４２ａとその下部に接合される弾性円形板４２ｂとから構成される。このような構成とすることで、ハンドル４１で圧縮円形板４２ａを押圧すると、弾性円形板４２ｂが押圧されて平板部材３２ａ或いはギア丁番３１の上部にくい込み、密接される。よって隣接する平板部材３２ａ間或いは平板部材３２ａとギア丁番３１とがなす角度を強固に固定することができる。
【００２７】
ここで弾性円形板４２ｂは、弾性力を有するものであれば如何なる弾性材であってもよいが、クッション性、耐熱性に優れたゴムを用いることが望ましい。また圧縮円形板４２ａと弾性円形板４２ｂの形状、大きさは、本実施例のものに限られる必要はなく、適宜変更可能であるが、図６に示すように、少なくも弾性円形板４２ｂの大きさは隣接する平板部材３２ａ間或いは平板部材３２ａ間の連結部分を同時に押圧させることのできる大きさであることが必要である。
また圧縮円形板４２ａと弾性円形板４２ｂとの接合は接着材等、圧縮円形板４２ａと弾性円形板４２ｂとを一定の強度で接合できるものであれば如何なるものであってもよい。
【００２８】
なお本考案は上記実施形態に限られるものではなく、任意好適な様々な変更が可能である。例えば、本実施例においては、壁面固定部１０及びディスプレイ固定部２０は共に幅広な平板部材１枚からなる構成としてあるが、このような構成とせず、相互に間隔をあけた複数本の丸棒、角棒等の棒状部材からなる構成とすることができる。このような構成とすることで、壁面やディスプレイに部分的な出っ張りがある場合であっても、棒状部材相互の間隔に出っ張り部分をおさめることで、部分的な出っ張りに影響を受けることなくディスプレイ取り付け具１を設置することができる。また棒状部材の材質はアルミ、木材等、取り付けるディスプレイの大きさ、設置場所等により適宜変更可能である。
また角度固定具４０は、隣接する平板部材３２ａ間或いは平板部材３２ａとギア丁番３１との連結部分の上部を固定する構成としてあるが、このような構成とせず、平板部材３２ａ間或いは平板部材３２ａとギア丁番３１との連結部分の下部を固定する構成とすることができる。このような構成とすることで、ディスプレイ取り付け具１を壁面の上方に配置する場合に、連結機構部３０における隣接する平板部材３２ａ間或いは平板部材３２ａとギア丁番３１とがなす角度を容易に固定することができる。
【図面の簡単な説明】
【００２９】
【図１】本考案の実施形態に係るディスプレイ取り付け具の斜視図である。
【図２】本考案の実施形態に係るディスプレイ取り付け具の平面図である。
【図３】本考案の実施形態に係るディスプレイ取り付け具における壁面固定部及びディスプレイ固定部の正面図である。
【図４】連結機構部の可動部の部分拡大図で、（ａ）は接合状態を示し、（ｂ）は変位状態を示す。
【図５】本考案の実施形態に係るディスプレイ取り付け具における角度固定具の分解側面図である。
【図６】本考案の実施形態に係るディスプレイ取り付け具における角度固定具の使用状態を示す平面図である。
【符号の説明】
【００３０】
１            ディスプレイ取り付け具
１０          壁面固定部
１１          壁面取り付け用貫通穴
１２          連結機構部取り付け用貫通穴
２０          ディスプレイ固定部
２１          ディスプレイ取り付け用貫通穴
２２          連結機構部取り付け用貫通穴
３０          連結機構部
３１          ギア丁番
３２          可動部
３２ａ        平板部材
４０          角度固定具
４１          ハンドル
４１ａ        ハンドル部
４１ｂ        圧縮部
４１ｃ        ネジ切り部
４２          円形板
４２ａ        圧縮円形板
４２ｂ        弾性円形板
【図１】
0003138380.tif 000003
【図２】
0003138380.tif 000004
【図３】
0003138380.tif 000005
【図４】
0003138380.tif 000006
【図５】
0003138380.tif 000007
【図６】
0003138380.tif 000008